(57)【特許請求の範囲】
【請求項１】
内部が中空のベル本体部と当該内部に打撃子を備え、
前記ベル本体部は内側底部に打撃子が転がるための転がり面又は転がり凹部を有する概ね水平方向に配置したベース部と、前記ベース部の上側に、水平方向に切り欠いたスリット部を介して当該ベース部の振動により共振する概ね水平方向の共振部を配置してあり、
前記打撃子は表面に凹凸がある玉状、又は異形状の玉状であり、前記ベル本体部を横方向に動かすと前記玉状の打撃子が前記ベース部の転がり面又は転がり凹部を転がり、鳴ることを特徴とするベル。
【請求項２】
前記ベル本体部のスリット部を有しない側部から、側面視でＵ字状部と当該Ｕ字状部の上部側の先をさらに上方に折り返したＬ字状部からなる支持部材を有することを特徴とする請求項１記載のベル。
【請求項３】
前記ベル本体部はカバー部材でカバーされており、
前記カバー部材は前記ベース部及び共振部に触れないように離間され、前記支持部材に保持されていることを特徴とする請求項２記載のベル。
【発明の詳細な説明】
【技術分野】
【０００１】
本発明はベルに関し、特に内部に打撃子を有するベルに係る。
【背景技術】
【０００２】
人が持ち歩いたり、ペットに取り付けるためのベルがある。
このようなベルは、熊等の動物が近付くのを避けるため、人に警報するため等使用する目的もさまざまである。
また、ドア等に取り付け、人の来訪を知らせるためのベルもある。
例えば、従来の熊よけベルは単に鈴を身につけて歩く時の揺れにより鳴るものの他に、特許文献１，２にはワイヤーに打撃部を連結したり、筒状の保持部を設けることで音の出る状態と音の出ない状態とに切り換えるものが提案されている。
しかし、従来のベルは大きく揺れないと大きな音がでないものであった。
特に従来のぶら下げ鈴は、内部が中空になっていて、下側にスリット状の切欠きを有するものの、玉がこの中空部のスリット部の両側に跨がるように載置されているため鈴が揺れ、玉が鈴本体を打撃しても直ぐに玉がスリット部に納まり、鈴本体の振動を止めてしまう問題があった。
【先行技術文献】
【特許文献】
【０００３】
【特許文献１】特開２０１２−０８５５６３号公報
【特許文献２】特開２０１２−０８５５６２号公報
【発明の概要】
【発明が解決しようとする課題】
【０００４】
本発明は、小さな揺れでも音が鳴るベルの提供を目的とする。
【課題を解決するための手段】
【０００５】
本発明に係るベルは、内部が中空のベル本体部と当該内部に打撃子を備え、前記ベル本体部は内側底部に打撃子が転がるための転がり面又は転がり凹部を有する概ね水平方向に配置したベース部と、前記ベース部の上側に、水平方向に切り欠いたスリット部を介して当該ベース部の振動により共振する概ね水平方向の共振部を配置してあり、前記打撃子は表面に凹凸がある玉状、又は異形状の玉状であり、前記ベル本体部を横方向に動かすと前記玉状の打撃子が前記ベース部の転がり面又は転がり凹部を転がり、鳴ることを特徴とする。
ここで打撃子は、中空のベル本体部が揺れて転がるものであり、この転がる際にベース部が振動し、この振動が共振部に伝わり大きな音になる。
打撃子は、転がりによりベース部に振動を与えるように表面に凹凸がある玉状、また異形状の玉状がよい。
【０００６】
本発明に係るベルは、振動部と共振部とが対応するように形成されていれば各種構造が考えられるが、従来のぶら下げ鈴のように中空部に納められた玉がスリット部に納まり、振動を抑えるものは含まれない。
また、ベル本体部が衣服やバック，リュック等に触れ、振動が抑えられるのを防ぐにはベル本体部をその振動を妨げないカバー部材でカバーされていてもよい。
例えば、ベル本体部はカバー部材でカバーされており、前記カバー部材は前記ベース部及び共振部に触れないように離間され、前記支持部材に保持するようにしてもよい。
【０００７】
本発明においては、打撃子が転がる状態と静止状態に切り換える打撃子の静止手段を有していてもよい。
静止手段としては、押え部材として静止部材の挿入、穴等の打撃子の収納凹部を設ける、磁石で吸着させる等、各種手段が考えられる。
【０００８】
本発明においては、打撃子が転がりやすいようにベル本体部を略水平に保持するための保持機構を有するのが好ましい。
保持機構としては、ベル本体部を略水平にぶら下げる支持部材、ベル本体部を略水平に保持するカバー部材、宇宙ゴマ（地球ゴマ）のように水平枠と垂直枠との組み合せからなる水平機構を用いてもよい。
具体的には、前記ベル本体部のスリット部を有しない側部から、側面視でＵ字状部と当該Ｕ字状部の上部側の先をさらに上方に折り返したＬ字状部からなる支持部材を有するようにしてもよい。
【発明の効果】
【０００９】
本発明に係るベルは、打撃子が転がることで振動するベース部と、これに共振する共振部を有するので、ベル本体部を軽く横方向（水平方向）に動かすだけで鳴る。
この場合に共振部に打撃子が触れないのが好ましい。
【図面の簡単な説明】
【００１０】
【図１】（ａ）は本発明に係るベルの構造例を示す。（ｂ）はカバー部材でベル本体部をカバーした状態を示す。
【図２】ベル本体部を水平枠と垂直枠で保持した例を示す。
【図３】（ａ），（ｂ）は保持枠が左右，前後に揺れてもベル本体部が略水平に保持される状態を示す。
【図４】（ａ），（ｂ）は打撃子を静止部材で静止させる例を示す。
【図５】（ａ），（ｂ）はマグネットにて打撃子を静止させる例を示す。
【図６】カバー部材にて水平に保持した例を示す。
【発明を実施するための形態】
【００１１】
本発明に係るベル１０の構造例を以下図に基づいて説明するが、本発明はこれに限定されない。
図１（ａ）は、カバー部材３０の無い状態のベル１０を示す。
ベル本体部１１は、内側底部に打撃子２０の転がり面又は転がり凹部を有する略水平方向のベース部１２とその上の共振部１３とからなり、ベース部１２に対して共振部１３が共振するようにスリット部１４を切り欠き形成してある。
ベル本体部１１が略水平に保持されるように、このベル本体部１１の側部からＵ字状に折り返し、さらに上部がＬ字状に折り返した支持部材１５を有する。
このようにすると、支持部材１５の上端部の吊り下げ孔１５ａにヒモ等を通し、衣服，ベルト，バック，リュック等にぶら下げるだけで、ベル本体部１１が略水平に保持される。
ベル本体部１１の材質は、振動により音が鳴るものであれば特に限定がない。
例えば、スチール，銅合金等の金属製が好ましい。
打撃子２０の材質は、転がりによりベース部１２に振動を与えるものであれば制限がない。
例えば、スチール，銅合金，セラミックス，石等が例として挙げられる。
打撃子２０の形状は、完全な球状よりも異形状の方が好ましく、表面に凹凸があってもよい。
【００１２】
図１（ｂ）は、ベル本体部１１の振動を妨げないカバー部材３０で、このベル本体部１１を覆うようにカバーした例である。
このようにすると、ベル本体部１１の振動の妨げにはならず、音がすぐに止まることはなくなる。
カバー部材の形状に制限はなく、例えば図６に示すようにベル１０の吊り下げ孔１５ａを除いてほぼ全体をカバー部材３１の内に納め、カバー部材３１にてベル本体部１１を略水平に保持しつつ、バック等に入れてもよい。
【００１３】
水平保持機構としては、図２に示すように保持枠４１の内側に図２では左右の回動軸４１ａ，４１ａにて水平枠４２を回動自在に連結し、さらに水平枠４２の前後の回動軸４２ａ，４２ａを介して内側に垂直枠４３を回動自在に連結した構造にしてもよい。
回動軸４１ａ，４１ａの軸線と回動軸４２ａ，４２ａの軸線は直交し、垂直枠４３の下部にベル本体部１１Ａを支持部材１５を介して固定してある。
また、保持枠４１に吊り下げ孔４４を設けた例になっている。
このようにすると、図３（ａ），（ｂ）に示すように保持枠４１が左右、前後に揺れてもベル本体部１１Ａの重力にて略水平に保持される。
【００１４】
本発明に係るベル１０は、打撃子２０の静止手段を有するのが好ましい。
その静止手段に制限はない。
例えば、図４にはベル本体部１１に挿入口１３ａを設け、静止部材５０を差し込み可能にした例を示し、図５には打撃子２０が磁性体でベル本体部１１が磁性体でない場合に共振部１３等にマグネット５１を配置しておき、図５（ａ）に示すようにベル本体部１１を一旦逆さにしたり、上下に振ることで打撃子２０をマグネットに磁着させた例を示す。
静止手段としては、打撃子の収納凹部や孔を設ける等、構造に制限はない。
【符号の説明】
【００１５】
１０      ベル
１５      支持部材
２０      打撃子
３０      カバー部材
４１      保持枠
４２      水平枠
４３      垂直枠
【要約】
【課題】小さな揺れでも音が鳴るベルの提供を目的とする。
【解決手段】内部が中空のベル本体部と当該内部に打撃子を備え、前記ベル本体部は打撃子が転がることで振動するベース部と、当該ベース部の振動に共振する共振部を有することを特徴とする。
【選択図】  図１【図１】
0005821045.tif 000002
【図２】
0005821045.tif 000003
【図３】
0005821045.tif 000004
【図４】
0005821045.tif 000005
【図５】
0005821045.tif 000006
【図６】
0005821045.tif 000007